(57)【要約】  本発明は、一つの空洞において誘電体共振素子のデュアル又はトリプルなどの多重共振を実現する際に、各共振の間のエネルギーをカップリングするために、誘電体共振素子又は空洞の形状を一部変形して、多重共振の間にカップリングできるようにして形状の単純化を行い、サイズを減らすことができる。さらに、一つの空洞においてトリプル共振の実現のために、誘電体共振素子の形状をドーナツ（ｄｏｕｇｈｎｕｔ）形状に製作することにより、誘電体共振素子の製作を容易にし、かつ誘電体共振素子から発生される熱の放出を容易にする。
2015506628.tif 000002
【特許請求の範囲】
【請求項１】
マルチモード帯域通過フィルタであって、
少なくとも一つの空洞を形成するハウジングと、
前記少なくとも一つの空洞にそれぞれ備えられる誘電体共振素子と
を含み、
誘電体共振素子の形状は、多重共振を生じさせる際、各共振の間にエネルギーカップリングをするために、一部変形したことを特徴とする、マルチモード帯域通過フィルタ。
【請求項２】
前記空洞及び前記誘電体共振素子は、少なくとも二つ以上備えられることを特徴とする、請求項１に記載のマルチモード帯域通過フィルタ。
【請求項３】
マルチモード帯域通過フィルタであって、
少なくとも一つの空洞を形成し、多重共振を生じさせる際、各共振の間にエネルギーカップリングをするために、前記少なくとも一つの空洞の形状を一部変形したハウジングと、
前記少なくとも一つの空洞に備えられる誘電体共振素子と
を含むことを特徴とする、マルチモード帯域通過フィルタ。
【請求項４】
前記空洞及び前記誘電体共振素子は、少なくとも二つ以上備えられることを特徴とする、請求項３に記載のマルチモード帯域通過フィルタ。
【請求項５】
前記ハウジングにおいて、前記少なくとも一つの空洞の形状を一部変形することを特徴とする、請求項１又は請求項２に記載のマルチモード帯域通過フィルタ。
【請求項６】
前記ハウジングにおいて、前記少なくとも二つ以上の空洞のうち、少なくとも一つの空洞の形状を一部変形することを特徴とする、請求項２に記載のマルチモード帯域通過フィルタ。
【請求項７】
前記誘電体共振素子は、ドーナツ形状で実現することを特徴とする、請求項１又は請求項２に記載のマルチモード帯域通過フィルタ。
【請求項８】
前記誘電体共振素子において、変形された形状は、平面上一部が切り欠いた構造であることを特徴とする、請求項１又は請求項２に記載のマルチモード帯域通過フィルタ。
【請求項９】
前記空洞の入出力信号をカップリングするための第１及び第２伝送ラインが備えられ、前記第１及び第２伝送ラインは、平面視で互いに９０度の角度で位置し、
前記誘電体共振素子から変形された部分は、前記平面視で互いに９０度の角度で位置する第１及び第２伝送ラインの間の４分面と対向する側の４分面に形成されることを特徴とする、請求項８に記載のマルチモード帯域通過フィルタ。
【発明の詳細な説明】
【技術分野】
【０００１】
本発明は、高周波フィルタに関し、特に、一つの空洞において多重共振を実現するマルチモード帯域通過フィルタに関する。
【背景技術】
【０００２】
一般に、超高周波でフィルタを実現するために、空洞を有するキャビティー（Ｃａｖｉｔｙ）フィルタ、ウェーブガイド（Ｗａｖｅ  Ｇｕｉｄｅ）フィルタ、誘電体フィルタなどで実現するが、これは、高電力の実現が可能であり、選択度（Ｑ：  Ｑｕａｌｉｔｙ  ｆａｃｔｏｒ）が高いためである。この中で、類似した空洞の容量で選択度を向上するためには、誘電体フィルタが主に用いられている。しかし、誘電体フィルタの場合、誘電体共振素子が空洞に収容される必要があるため、製造コストが上昇し、重量が重くなる短所がある。
【０００３】
この短所を克服するために、ＵＳ特許第４、６７５、６３０号のように、一つの空洞において多重共振を実現しようとする試みが従来から行われてきた。しかしながら、上記ＵＳ特許の代表図と同様の図面である図１に示したように、一つの空洞において多数の共振によりフィルタ特性を実現するためには、符号１６、１８、２０のような、エネルギーカップリングのための複数のカップリングねじ（ｃｏｕｐｌｉｎｇ  ｓｃｒｅｗ）を、空洞の縁（ｅｄｇｅ）から４５度の方向に製作すべきである。これにより、空洞の製作に困難があるので、製造コストが上昇し、かつ調整用ねじが多くの方向に分布するようになって、実際に使用可能な空間が縮小される。
【０００４】
図１において、符号４は、ウェーブガイドキャビティーであり、符号６は、共振素子、符号８、１０は、同軸プローブ（ｃｏａｘｉａｌ  ｐｒｏｂｅ）、符号１４は、低誘電常数（ｌｏｗ  ｄｉｅｌｅｃｔｒｉｃ  ｃｏｎｓｔａｎｔ）の支持体であり、符号２２、２４、２６は、チューニングねじである。
【先行技術文献】
【特許文献】
【０００５】
【特許文献１】米国特許第４６７５６３０号明細書
【発明の概要】
【発明が解決しようとする課題】
【０００６】
本発明の目的は、一つの空洞において多重共振を生じさせて、フィルタの特性を実現するために、エネルギーカップリングの実現を容易にすることにある。
【０００７】
本発明の他の目的は、エネルギーカップリングの実現を容易にすることにより、空洞の製造コストを低減し、また実現の空間を減らすことにより、さらに小型化することにある。
【０００８】
本発明のまた他の目的は、一つの空洞において多重共振を生じさせる時、誘電体共振素子をドーナツ形状に製作することにより、誘電体共振素子の製作を容易にし、かつ誘電体共振素子から発生する熱の放出を容易にすることにある。
【課題を解決するための手段】
【０００９】
マルチモード帯域通過フィルタは、一つの空洞において、誘電体共振素子を用いて多重共振を生じさせる時、各共振のエネルギーカップリングのために、誘電体共振素子の形状を一部変更した誘電体共振素子を含む。
【００１０】
さらに、同一の目的として、マルチモード帯域通過フィルタは、各共振のエネルギーカップリングをするために、誘電体共振素子の形状を変形せず、空洞の形状を一部変更した空洞を含む。
【００１１】
マルチモード帯域通過フィルタは、一つの空洞においてトリプル共振を生じさせるために、誘電体共振素子を含み、上記誘電体共振素子は、誘電体共振素子の製作を容易にし、また熱の放出を容易にするために、ドーナツ形状にする。
【発明の効果】
【００１２】
一つの空洞を用いて多重共振を実現する際に、各共振モードの間に、エネルギーカップリングをするためのカップリング構造を単純にすることができる。
【００１３】
これにより、多数の空洞を用いて多重共振を実現する際に、カップリング構造に伴う構造の制約を克服することができる。したがって、マルチモード帯域通過フィルタは、構造的制約なしで自由に実現することができる。
【００１４】
また、空洞の単純化により、空洞の製造コストを低減することができ、かつ空洞の小型化を達成することができる。
【００１５】
さらに、一つの空洞を用いてトリプル共振を実現する際に、誘電体共振素子をドーナツ形状で製作することにより、マルチモード帯域通過フィルタの製作を容易にして、製造コストを低減し、かつ誘電体共振素子から発生する熱の放出を容易にし、これにより、製品を安定に、かつ新頼性よく操作することができる。
【図面の簡単な説明】
【００１６】
【図１】従来の多重共振帯域フィルタの斜視図である。
【図２Ａ】本発明の第１実施形態によるマルチモード帯域通過フィルタの斜視図である。
【図２Ｂ】本発明の第１実施形態によるマルチモード帯域通過フィルタの透過斜視図である。
【図２Ｃ】本発明の第１実施形態によるマルチモード帯域通過フィルタについて測定した特性を示すグラフである。
【図３Ａ】本発明の第２実施形態によるマルチモード帯域通過フィルタの斜視図である。
【図３Ｂ】本発明の第２実施形態によるマルチモード帯域通過フィルタの透過斜視図である。
【図３Ｃ】本発明の第２実施形態によるマルチモード帯域通過フィルタについて測定した特性を示すグラフである。
【図４Ａ】本発明の第３実施形態によるマルチモード帯域通過フィルタの透過斜視図である。
【図４Ｂ】本発明の第３実施形態によるマルチモード帯域通過フィルタの特性シミュレーショングラフである。
【図５】本発明の第４実施形態によるマルチモード帯域通過フィルタの透過斜視図である。
【図６】本発明の第５実施形態によるマルチモード帯域通過フィルタの透過斜視図である。
【図７】本発明の第６実施形態によるマルチモード帯域通過フィルタの透過斜視図である。
【図８】本発明の第７実施形態によるマルチモード帯域通過フィルタの透過斜視図である。
【図９Ａ】本発明の特徴によるマルチモード帯域通過フィルタについて測定した特性の比較グラフである。
【図９Ｂ】本発明の特徴によるマルチモード帯域通過フィルタについて測定した特性の比較グラフである。
【発明を実施するための形態】
【００１７】
図２Ａは、本発明の第１実施形態によるマルチモード帯域通過フィルタの斜視図であり、図２Ｂは、本発明の第１実施形態の透過斜視図であって、蓋の図示は省略した。本発明の第１実施形態によると、マルチモード帯域通過フィルタ２００は、空洞を遮蔽するハウジング２０１と、蓋（Ｃｏｖｅｒ）２０２とを備える。ハウジング２０１と蓋２０２とは、金属の材質からなり、内部信号を遮蔽することができる。たまには、ハウジング２０１と蓋２０２とは、プラスチックのような非導電体でメッキした状態で用いてもよい。
【００１８】
また、空洞において共振を生じる信号を入力又は出力できる入／出力ポート２１０、２１１を備える。
【００１９】
図２Ｂは、図２Ａの透過斜視図であって、入出力ポートに、第１、第２伝送ライン２２０、２２１が連結されている構造を示す。この２個の伝送ライン２２０、２２１は、所望のフィルタを実現するために、誘電体共振素子に必要なエネルギーをカップリングさせる役目をするものであり、場合によって、ハウジング２０１と電気的に短絡又は開放してもよく、所望のエネルギーカップリング量は、伝送ラインと誘電体共振素子との間の距離と、伝送ラインの長さ、厚み及び形状とを変更することにより実現すればよい。
【００２０】
また、誘電体共振素子２３０では、一般に、マルチモード帯域通過フィルタ２００を実現するための各周波数の共振モードは、誘電体共振素子２３０の直径と長さとの比率に直接に関連して発生する。従って、各共振モードは、直径と長さとの比率の調整を介して、同一の周波数で共振することができる。しかし、この第１実施形態では、本発明の請求項８に開示のように、トリプル共振を生じさせるために、誘電体共振素子２３０をドーナツ形状に製作することにより、誘電体共振素子２３０の製作を容易にし、誘電体共振素子２３０から発生される熱の放出を容易にすることができる。すなわち、誘電体共振素子２３０は、全体的な外形が円筒形状に類似であるが、例えば、その中心部で縦の方向に貫通ホールが形成される。また、ＵＳ特許第４、６７５、６３０号に開示のように、他のマルチモード帯域共振フィルタにおける各周波数の共振モードの間に、エネルギーカップリングをするための図１のねじ１６、１８、２０を備えず、請求項１に記載のように、誘電体共振素子２３０の形状を一部変更した誘電体共振素子２３０を備える。第１実施形態では、ドーナツ形状に変形して、多重共振の間に、エネルギーカップリングをするが、円柱形状及び四角形状の形状にも適用してもよい。これに用いられた誘電体共振素子２３０は、通常、支持体２４０に比べて、高誘電率を用い、低損失タンジェント係数を有する誘電体からなり、低損失タンジェントを有するので、誘電体共振素子２３０は、選択度（Ｑ、Ｑｕａｌｉｔｙ  ｆａｃｔｏｒ）が高くて、フィルタにおいて発生する損失を減らすことができる。誘電体共振素子２３０は、空洞の中央に位置しない場合もあるが、通常、最もよい選択度を得るために、空洞の中央に位置づける。
【００２１】
したがって、誘電体共振素子２３０を空洞の中央に位置付けるために、低誘電率、低損失タンジェント係数を有する支持体２４０を備える。支持体２４０は、一方が誘電体共振素子と接触しており、それと反対の面は、ハウジング２０１と接触している。通常、支持体としては、アルミナ（Ａｌ２Ｏ３）を用いる。その理由は、アルミナが低損失タンジェント係数を有し、熱伝導性に優れて、誘電体共振素子から発生する熱をハウジング２０１へ放出すことができるからである。アルミナの他に、テフロン（登録商標）（Ｔｅｆｌｏｎ（登録商標））、プラスチックなどを用いてもよい。
【００２２】
さらに、微細に共振周波数を調整するために、共振調整ねじ２５０を備えてもよい。
【００２３】
図２Ｃは、図２Ａ及び図２Ｂに示したように備えられた、本発明の第１実施形態によるマルチモード帯域通過フィルタ２００について測定した特性を示すグラフである。図２Ｃに示したように、本発明によるマルチモード帯域通過フィルタ２００では、多数のモードが発生することがわかる。
【００２４】
以上、図２Ａから２Ｃを参照して説明したように、本発明では、多重共振を生じさせるために、ドーナツ形状の誘電体共振素子２３０を一部変形する。この変形された構造は、誘電体共振素子２３０の平面構造から一部が除去された構造（即ち、図２Ａ、図２Ｂの例では、円形状の一部を切り欠いた構造）であることがわかる。変形された量（円形状から切り欠いた量）が多くなるほど、フィルタの帯域幅を増やすことができ、最大に半円まで切り出すことができる。このような変形量は、上記フィルタにおける所望のフィルタリング特性を考慮して好適に設計することができる。
【００２５】
なお、この際、図２Ｂに示した第１、第２伝送ライン２２０、２２１（及びこれによる入出力ポート）は、誘電体共振素子２３０に対して、平面視で互いに９０度の角度で位置するように構成される。このような配置構造は、一つの空洞において二つ以上の共振を生じさせるために、主要な構成である。さらに、上記誘電体共振素子２３０から変形された部分は、平面視で互いに９０度の角度で位置する、第１、第２伝送ライン２２０、２２１の間の４分面と対向する側の４分面に形成されることが好ましい。
【００２６】
図３Ａは、本発明の第２実施形態によるマルチモード帯域通過フィルタの斜視図であり、図３Ｂは、本発明の第２実施形態の透過斜視図である。第２実施形態は、上述の本発明の第１実施形態のように、多重共振を一つの空洞に生じさせる構造を、二つの空洞へ拡張して、マルチモード帯域通過フィルタ３００を実現することである。第２実施形態では、理解の便宜上、二つの空洞について記述したが、実際の使用においては、二つ以上のすべての空洞にもさらに適用してもよい。
【００２７】
図３Ａ及び図３Ｂを参照すると、マルチモード帯域通過フィルタ３００は、ハウジング３０１と、蓋３０２とを備える。ハウジングと蓋とは、用いた材質と用途において、第１実施形態のハウジング２０１と蓋２０２と同様である。
【００２８】
さらに、マルチモード帯域通過フィルタ３００は、入／出力ポート３１０、３１１と、第１、第２伝送ライン３２０、３２１とを備え、用いた材質と用途は、第１実施形態の  入／出力ポート２１０、２１１と、第１、第２伝送ライン２２０、２２１とそれぞれ同様である。
【００２９】
また、第１実施形態における空洞を、二つの空洞に拡張するために、誘電体共振素子３３０、３３１、支持体３４０、３４１、及び共振調整ねじ３５０、３５１が備えられ、その材質と用途は、第１実施形態の誘電体共振素子２３０、支持体２４０、及び共振調整ねじ２５０とそれぞれ同様である。
【００３０】
但し、第３、第４伝送ライン３６０、３６１は、フィルタの実現のために、誘電体共振素子３３０、３３１に必要なエネルギーをカップリングする役目をするものであり、第５伝送ライン３６２は、第３、第４伝送ライン３６０、３６１を連結させるために備えられる。場合によって、第３、第４伝送ライン３６０、３６１は、第１、第２伝送ラインと同様に、ハウジング３０１と電気的に短絡又は開放されてもよく、所望のエネルギーカップリング量は、伝送ラインと誘電体共振素子との間の距離と、伝送ラインの長さ、厚み及び形状とを変更することで実現すればよい。
【００３１】
図３Ｃは、図３Ａ及び図３Ｂのように備えられた、本発明の第１実施形態によるマルチモード帯域通過フィルタ３００について測定した特性を示すグラフである。
【００３２】
以下、図４Ａから図８を参照して、本発明の他の実施形態について説明する。以下の説明では、説明の便宜上、蓋の図示を省略し、またその役割も同様であるので、その役割についての説明も排除した。
【００３３】
図４Ａは、本発明の第３実施形態によるマルチモード帯域通過フィルタの透過斜視図である。
【００３４】
図４Ａを参照すると、本発明の第３実施形態により、マルチモード帯域通過フィルタ４００は、空洞を遮蔽するハウジング４０１と、蓋とを備える。ハウジング４０１と蓋とは、用いた材質と用途において、第１実施形態のハウジング２０１と蓋２０２と同様である。
【００３５】
しかし、第１、第２実施形態では、各周波数の共振モードの間に、エネルギーカップリングをするために、誘電体共振素子の形状を一部変形するが、第３実施形態では、ハウジング４０１の形状を一部変形して、多重共振の間にエネルギーカップリングをすることができるようにした。
【００３６】
さらに、マルチモード帯域通過フィルタ４００は、入／出力ポート４１０、４１１と、  第１、第２伝送ライン４２０、４２１と、支持体４４０と、共振調整ねじ４５０とを備え、用いた材質と用途は、第１実施形態の入／出力ポート２１０、２１１と、第１、第２伝送ライン２２０、２２１と、支持体２４０と、共振調整ねじ２５０とそれぞれ同様である。
【００３７】
ただし、誘電体共振素子４３０は、ハウジング４０１の形状を一部変形して、エネルギーカップリングを形成したため、一般のドーナツ形状（即ち、変形されていない構造）で構成される。
【００３８】
図４Ｂは、図４Ａに示したように備えられた、本発明の第３実施形態によるマルチモード帯域通過フィルタ２００の特性シミュレーショングラフである。図４Ｂに示したように、本発明の第３実施形態によるマルチモード帯域通過フィルタ２００では、多数のモードが発生することがわかる。
【００３９】
図４Ａ及び図４Ｂを参照して上述したように、本発明の第３実施形態では、多重共振を発生するために、ハウジング４０１の内部形状（空洞の形状）を一部変形する。この変形された構造は、ハウジング４０１の内部構造において、誘電体共振素子４３０に対向して、一部が加えられた構造（即ち、図４Ａの例では、平面視四角形状の内部構造において、一角の部分が幾分満たされた構造）であることがわかる。変形された量（角で満たされた量）が多くなるほど、フィルタの帯域幅を高めることができ、このような変形量は、上記フィルタにおける所望のフィルタリング特性などを考慮して好適に設計することができる。
【００４０】
また、この際、図４Ａに示した第１、第２伝送ライン４２０、４２１（及びこれによる入出力ポート）は、誘電体共振素子２３０に対して、平面視で互いに９０度の角度で位置するように構成され、この際、ハウジング４０１から変形された部分は、平面視で互いに９０度の角度で位置する第１、第２伝送ライン４２０、４２１の間の４分面と対向する側の４分面に形成されることが好ましい。
【００４１】
図５は、本発明の第４実施形態によるマルチモード帯域通過フィルタの透過斜視図であり、本発明の第４実施形態は、上述した本発明の第３実施形態のように、多重共振を一つの空洞において行ったことを、二つの空洞に拡張して行うことにより、マルチモード帯域通過フィルタ５００を実現することである。第４実施形態においては、理解の便宜上、二つの空洞について記述したが、実際の使用においては、二つ以上のすべての空洞にもまた適用してもよい。
【００４２】
マルチモード帯域通過フィルタ５００は、ハウジング５０１と蓋とを備える。上記ハウジングと蓋とは、用いた材質と用途において、第１実施形態のハウジング２０１と蓋２０２と同様である。
【００４３】
また、マルチモード帯域通過フィルタ５００は、入／出力ポート５１０、５１１と、  第１、第２伝送ライン５２０、５２１とを備え、用いた材質と用途において、第１実施形態の入／出力ポート２１０、２１１と、第１、第２伝送ライン２２０、２２１とそれぞれ同様である。
【００４４】
なお、第３実施形態における空洞を二つの空洞に拡張するために、誘電体共振素子５３０、５３１、支持体５４０、５４１、及び共振調整ねじ５５０、５５１が備えられ、その材質と用途は、第３実施形態における誘電体共振素子４３０、支持体４４０、及び共振調整ねじ４５０とそれぞれ同様である。
【００４５】
また、マルチモード帯域通過フィルタ５００は、第３、第４、第５伝送ライン５６０、５６１、５６２を備え、用いた材質と用途は、第２実施形態における第３、第４、第５伝送ライン３６０、３６１、３６２と同様である。
【００４６】
図６は、本発明の第５実施形態によるマルチモード帯域通過フィルタの透過斜視図であり、本発明の第５実施形態は、上述した第１実施形態と第３実施形態を、一つの空洞に  適用して実現することである。即ち、一つの空洞において、多重共振モードの間にエネルギーカップリングをするために、誘電体共振素子６３０とハウジング６０１との形状を共に、一部変形して、マルチモード帯域通過フィルタ６００を実現する。
【００４７】
図６に示した第５実施形態では、上記多数の実施形態と同様に、入／出力ポート６１０、６１１と、第１、第２伝送ライン６２０、６２１と、支持体６４０と、共振調整ねじ６５０とを備えてもよい。
【００４８】
図７は、本発明の第６実施形態によるマルチモード帯域通過フィルタの透過斜視図であり、本発明の第６実施形態は、上述した本発明の第５実施形態のように、多重共振を一つの空洞において行ったことを、二つの空洞に拡張して行うことにより、マルチモード帯域通過フィルタ７００を実現することである。第６実施形態では、理解の便宜上、二つの空洞について記述したが、実際の使用においては、二つ以上のすべての空洞にもまた適用してもよい。
【００４９】
図７に示した第６実施形態では、上記多数の実施形態と同様に、ハウジング７０１と、入／出力ポート７１０、７１１と、第１、第２伝送ライン７２０、７２１と、誘電体共振素子７３０、７３１と、支持体７４０、７４１と、共振調整ねじ７５０、７５１と、第３、第４、第５伝送ライン７６０、７６１、７６２とを備えてもよい。
【００５０】
図８は、本発明の第７実施形態によるマルチモード帯域通過フィルタの透過斜視図であり、本発明の第７実施形態は、上述した第１実施形態と第３実施形態を、各々の空洞において実現して、二つ以上の空洞に多重共振モードを実現する。即ち、一つ以上の空洞においては、誘電体共振素子を変形し、一つ以上の他の空洞においては、空洞の形状を変形して、マルチモード帯域通過フィルタ８００を実現する。
【００５１】
図８に示した第７実施形態では、以前の多数の実施形態と同様に、ハウジング８０１と、入／出力ポート８１０、８１１と、第１、第２伝送ライン８２０、８２１と、誘電体共振素子８３０、８３１と、支持体８４０、８４１と、共振調整ねじ８５０、８５１と、第３、第４、第５伝送ライン８６０、８６１、８６２とを備えてもよい。
【００５２】
図９Ａ及び図９Ｂは、本発明の特徴によるマルチモード帯域通過フィルタについて測定した特性を比較して示すグラグである。図９Ａには、誘電体共振素子の中心部位に、貫通ホールのない場合について測定した特性の結果を示し、図９Ｂには、本発明の実施形態により、誘電体共振素子の中心部位に貫通ホールを形成した場合について測定した特性を表す。図９Ａ及び図９Ｂに示したように、誘電体共振素子の中心部位に貫通ホールを形成した場合には、貫通ホールを形成していない構造と比べて、用いた周波数より最も高い周波数で不要波が発生し、帯域通過フィルタの固有の特性である、選択された周波数のみを通過するのにより適合であることが確認できる。
【００５３】
上述のように、本発明の実施形態によりマルチモード帯域通過フィルタが構成されることができる。また、本発明の様々な変形及び変更により他の実施形態を実現してもよい。
【００５４】
例えば、上記実施形態についての説明では、一つの空洞を備えるか、又は図５などに示したように、二つの空洞を備えるマルチモード帯域通過フィルタの構造について説明している。その他にも、本発明の他の実施形態では、３以上、多数の空洞を備える構造を同様に採ってもよい。
【００５５】
なお、上記の説明では、図５などにおいて、多数の（例えば、二つの）空洞の間に、第３から第５伝送ラインを用いて、相互間をカップリングする構造を採ることを説明したが、この他にも、本発明の他の実施形態では、多数の空洞の間における隔壁の一部を切り欠いた形態で形成されるウィンドウを通じて、カップリングする構造を採ることも可能である。
【符号の説明】
【００５６】
４  ウェーブガイドキャビティー
６  共振素子
８、１０  同軸プローブ
１４  低誘電常数の支持体
２２、２４、２６  チューニングねじ
２００、３００、４００、５００、６００、７００、８００  マルチモード帯域通過フィルタ
２０１、３０１、４０１、５０１、６０１、７０１、８０１  ハウジング
２０２、３０２  蓋
２１０、３１０、４１０、５１０、６１０、７１０、８１０  入力ポート
２１１、３１１、４１１、５１１、６１１、７１１、８１１  出力ポート
２２０、３２０、４２０、５２０、６２０、７２０、８２０  第１伝送ライン
２２１、３２１、４２１、５２１、６２１、７２１、８２１  第２伝送ライン
２３０、３３０、３３１、４３０、５３０、５３１、６３０、７３０、７３１、８３０、８３１  誘電体共振素子
２４０、３４０、３４１、４４０、５４０、５４１、６４０、７４０、７４１、８４０、８４１  支持体
２５０、３５０、３５１、４５０、５５０、５５１、６５０、７５０、７５１、８５０、８５１  共振調整ねじ
３６０、５６０、７６０、８６０  第３伝送ライン
３６１、５６１、７６１、８６１  第４伝送ライン
３６２、５６２、７６２、８６２  第５伝送ライン
【図１】
2015506628.tif 000003
【図２ａ】
2015506628.tif 000004
【図２ｂ】
2015506628.tif 000005
【図２ｃ】
2015506628.tif 000006
【図３ａ】
2015506628.tif 000007
【図３ｂ】
2015506628.tif 000008
【図３ｃ】
2015506628.tif 000009
【図４ａ】
2015506628.tif 000010
【図４ｂ】
2015506628.tif 000011
【図５】
2015506628.tif 000012
【図６】
2015506628.tif 000013
【図７】
2015506628.tif 000014
【図８】
2015506628.tif 000015
【図９ａ】
2015506628.tif 000016
【図９ｂ】
2015506628.tif 000017
【国際調査報告】
2015506628.tif 000018
2015506628.tif 000019
2015506628.tif 000020
2015506628.tif 000021